(57)【要約】【課題】寝返りなどの動作の妨げになることなく、また、穴周辺の強度が低下することなく、さらに、寝ている姿勢に対して違和感を生じることなく、床擦れ防止の構成を維持し、また、下の世話をすることが容易となる床擦れ防止用寝具を提供することを課題とする。【解決手段】仰臥している身体に対して所定圧力を介して支持する支持面を有する床擦れ防止用寝Ａ具において、仰臥している身体の背骨に対応する前記支持面の位置に非接触となるように形成した縦溝部２と、この縦溝部の一端に連続すると共に、仰臥している身体の腰骨上部に対応する前記支持面の位置に非接触となるように形成した横溝部３とを備える構成とした。【選択図】　　　　図１
2004081281.tif 000002
【特許請求の範囲】
【請求項１】
仰臥している身体に対して所定圧力を介して支持する支持面を有する床擦れ防止用寝具において、仰臥している身体の背骨に対応する前記支持面の位置に、その背骨に対応する身体の部分に対して非接触となるように形成した縦溝部と、この縦溝部の一端に連続すると共に、仰臥している身体の腰骨部に対応する前記支持面の位置に、その腰骨部に対応する身体の部分に対して非接触となるように形成した横溝部とを備えることを特徴とする床擦れ防止用寝具。
【請求項２】
仰臥している身体に対して所定圧力を介して支持する支持面を有する床擦れ防止用寝具において、仰臥している身体の背骨に対応する前記支持面の位置に、その背骨に対応する身体の部分に対して非接触となるように形成した縦溝部と、この縦溝部の一端に連続すると共に、仰臥している身体の腰骨部に対応する前記支持面の位置に、その腰骨部に対応する身体の部分に対して非接触となるように形成した横溝部とを備えると共に、前記縦溝部および前記横溝部を囲む位置の前記支持面に対して前記所定圧力を維持する圧力維持部を備え、
前記圧力維持部は、前記縦溝部および前記横溝部から遠ざかるにしたがって前記支持面が前記所定圧力より大きな圧力からその所定圧力になるように形成したことを特徴とする床擦れ防止用寝具。
【請求項３】
前記支持面には、前記横溝部の中央から前記縦溝部の延長線上に形成された縦溝延長部が連続して形成され、
前記縦溝延長部は、着脱自在に挿入される挿入マット片を備えることを特徴とする請求項１または請求項２に記載の床擦れ防止用寝具。
【発明の詳細な説明】
【０００１】
【発明の属する技術分野】
本発明は、長時間あるいは長期に亘って仰臥する姿勢をとる必要がある老人や病人の身体に対して床擦れを防止することができる床擦れ防止用寝具に関する。
【０００２】
【従来の技術】
一般に、長期に亘って身体を横たえる姿勢を余儀なくされる場合で、特に、仰向けの姿勢である仰臥している身体に対して、床擦れが発生し易いことが知られている。そのため、床擦れを防止するための様々な寝具が提案されている。
【０００３】
例えば、登録実用新案公報第３０１３５８２号は、寝たきり患者が仰臥位の際に仙骨・尾骨の下外部の皮膚に対応する部分に開けた穴と、前記仰臥位の患者が９０度の左または右への寝返りをうって側臥位となった際に大腿骨における左右の大転子の下外部で皮膚に対応する部分に開けた２つの穴を一体にもつ、柔軟弾発性質よりなる腰当マット状の床擦れ予防具として提案されている（例えば、特許文献１参照）。
【０００４】
【特許文献１】登録実用新案公報第３０１３５８２号公報（請求項）
【０００５】
【発明が解決しようとする課題】
しかし、従来の床擦れを予防する予防具の構成では、以下で示すような問題点が存在していた。すなわち、従来の床擦れ予防具では、仙骨・尾骨あるいは大腿骨の大転子に対応するように間歇的に穴を空けた構成としているため、凹凸が寝返りなどの動作を行う妨げになる場合があった。
【０００６】
また、従来の床擦れ防止用寝具では、穴の空いている位置で仰臥位から側臥位になるように姿勢を変える動作は、寝ている本人が一人で行う場合には大きな労力を必要とし、体力が減退している患者あるいは老人には困難であった。
さらに、従来の床擦れ防止用寝具では、仙骨・尾骨あるいは大腿骨の大転子に対応する位置に穴を空けた構成であるため、身体を支えるために構成された他の部分に比較して穴の周辺の強度が低下して寝心地が悪くなってしまった。また、身体を直接支持する寝具の上に穴の開いているマット状の部材を載置して使用する構成では、そのマット状の部材が寝具面に対して段差を形成するため、寝ている患者あるいは老人が違和感を生じて使い難かった。
【０００７】
そして、従来の床擦れ防止用寝具では、仰臥位の姿勢を余儀なくされる患者あるいは老人には、身体の床擦れ防止の構成を維持しながら、下の世話をすることが容易な構成を確保することが困難であった。
【０００８】
本発明は、前記の問題点に鑑み創案されたものであり、寝返りなどの動作の妨げになることなく、また、穴周辺の強度が低下することなく、さらに、寝ている姿勢に対して違和感を生じることなく、床擦れ防止の構成を維持し、また、下の世話をすることが容易となる床擦れ防止用寝具を提供することを目的とする。
【０００９】
【課題を解決するための手段】
本発明の床擦れ防止用寝具は、前記の目的を達成するため、以下に示す構成とした。すなわち、床擦れ防止用寝具は、仰臥している身体に対して所定圧力を介して支持する支持面を有する床擦れ防止用寝具において、仰臥している身体の背骨に対応する前記支持面の位置に、その背骨に対応する身体の部分に対して非接触となるように形成した縦溝部と、この縦溝部の一端に連続すると共に、仰臥している身体の腰骨部に対応する前記支持面の位置に、その腰骨部に対応する身体の部分に対して非接触となるように形成した横溝部とを備える構成とした。
【００１０】
このように構成されることにより、床擦れ防止用寝具は、仰臥する姿勢、あるいは、側臥する姿勢となったときに、背骨に対応する縦溝部と、腰骨部に対応する横溝部とが、支持面であるマット面に対して骨と皮膚とが近い位置関係になる身体部分に対して非接触状態となる。また、横溝部が縦溝部に対して連続しているため、側臥位から仰臥位に、あるいは、仰臥位から側臥位に寝返りをした場合であってもその横溝部に沿って体重移動をスムーズに行なうことができる。なお、縦溝部および横溝部は、身体と非接触となる構成であれば、マットに対して非貫通あるいは貫通した構成であっても構わない。
【００１１】
また、床擦れ防止用寝具は、仰臥している身体に対して所定圧力を介して支持する支持面を有する床擦れ防止用寝具において、仰臥している身体の背骨に対応する前記支持面の位置に、その背骨に対応する身体の部分に対して非接触となるように形成した縦溝部と、この縦溝部の一端に連続すると共に、仰臥している身体の腰骨部に対応する前記支持面の位置に、その腰骨部に対応する身体の部分に対して非接触となるように形成した横溝部とを備えると共に、前記縦溝部および前記横溝部を囲む位置の前記支持面に対して前記所定圧力を維持する圧力維持部を備え、前記圧力維持部は、前記縦溝部および前記横溝部から遠ざかるにしたがって前記支持面が前記所定圧力より大きな圧力からその所定圧力になるように形成したものである。
【００１２】
このように構成されることにより、床擦れ防止用寝具は、患者あるいは老人が仰臥した姿勢であると、その背骨の位置に縦溝部が位置し、また、腰骨部となる位置に横溝部が位置して、いずれも背骨および腰骨部となる身体の部分が支持面であるマット面に対して非接触となる。そして、身体を横たえる患者あるいは老人は、両溝部に対応した位置に仰臥する姿勢であっても、圧力維持部がその両溝部を囲む位置に身体の体重がかかっても、他の部位での支持面に近い圧力でその身体を支持することができる。
【００１３】
さらに、床擦れ防止用寝具において、前記支持面には、前記横溝部の中央から前記縦溝部の延長線上に形成された縦溝延長部が連続して形成され、前記縦溝延長部は、着脱自在に挿入される挿入マット片を備える構成とした。
【００１４】
このように構成されることにより、床擦れ防止用寝具は、寝具に寝ている患者あるいは老人が排泄現象をもよおした場合には、挿入マット片を抜き取り、その挿入マット片を抜き取った空間でオマルや浣腸する器具を操作することができる。
【００１５】
【発明の実施の形態】
以下、本発明の実施の形態を、図面を参照して説明する。
図１は床擦れ防止用寝具の平面図、図２（ａ），（ｂ）は床擦れ防止用寝具と身体との位置関係を示す底面図および一部を断面にした側面図、図３（ａ），（ｂ）は床擦れ防止用寝具の挿入マット片を縦溝延長部に挿入離脱した状態を示す斜視図である。
【００１６】
図１および図２に示すように、床擦れ防止用寝具Ａは、一定厚みに形成されたウレタンなどの素材で形成された長方形のマット１と、このマット１の所定位置に形成された縦溝部２と、この縦溝部２の一端側に直交して連続するように形成した横溝部３と、この横溝部３の中央で縦溝部２の延長線上に形成された縦溝延長部４と、この縦溝延長部４に着脱自在に装着される挿入マット片５と、縦溝部２、横溝部３および縦溝延長部４を囲む位置に設けた圧力維持部６とを備えている。
【００１７】
図１に示すように、マット１は、身体を横たえたときに、その身体と接触する支持面（マット面）において所定の圧力で身体を支持することができるものとして、ここではウレタンマットを一例として示しているが、寝具として用いることができるものであれば、スプリングマット、ウォータマットあるいはエアマットであっても良い。このマット１の大きさは、大人（子供）の身体が横たえることができるものであれば、特に限定するものではなく、ここでは厚さ６〜１２ｃｍで長さが１９０ｃｍ、横幅が１００ｃｍのサイズ一種類を示しているが、サイズの異なるものを複数種類用意して身長の大きさに合せて使い分ける構成としても構わない。
【００１８】
図１および図２に示すように、縦溝部２は、マット１に身体を横たえた場合に背骨に対応する位置に形成されており、ここでは、一例として、そのマット１の一端から３０ｃｍの位置から６５ｃｍの長さで幅６〜８ｃｍの寸法に、マット１を貫通するように形成されている。この縦溝部２の深さは、身体を横たえて仰臥位の姿勢となったときに、背骨に対応する部分の皮膚がマット面に触れることがなければ、非貫通溝でも貫通溝でも構わない。
【００１９】
図１および図２に示すように、横溝部３は、マット１に身体を横たえた場合に腰骨部に対応する位置に形成されており、ここでは、一例として、そのマット１の縦溝部２の下端から左右に３０ｃｍの長さで幅６〜８ｃｍの寸法にマット１を貫通するように形成されている。この横溝部２の深さは、身体を横たえて仰臥あるいは側臥の姿勢となったときに、腰骨部に対応する部位の皮膚がマット面に触れることがなければ、非貫通溝でも貫通溝でも構わない。なお、腰骨部に対応する部位とは、仙骨、大転子を含む尾骨より上の骨盤部分をいう。
【００２０】
図３（ａ）、（ｂ）に示すように、縦溝延長部４は、横溝部３の長手方向における中央で縦溝部２の延長線上に形成されており、ここでは、一例として、その横溝部３から１０ｃｍの長さで幅６〜８ｃｍの寸法にマット１を貫通するように形成されている。そして、この縦溝延長部４には、その空間を埋めるための挿入マット片５が着脱自在にはめ込まれている。
【００２１】
この挿入マット片５は、縦溝延長部４より若干大きな寸法にすることで縦溝延長部４に挿入したときに、その縦溝延長部４からの押圧と挿入マット片５からの押圧とにより支持され、縦溝延長部４に確実に挿入支持される。なお、この挿入マット片５が横溝部３側に抜け落ちないように、帯または紐状の仕切りを横溝部３の側面部分に設ける構成としても構わない。また、この挿入マット片５が簡単に抜き取れるように、ネット状の袋に入れた状態で縦溝延長部４に挿入し、その袋の把手部分を引っ張ることで抜き取れるようにすると都合がよい。
【００２２】
図１に示すように、圧力維持部６は、縦溝部２、横溝部３および縦溝延長部４を囲む位置に設けられており、各溝部２，３，４から離れるにしたがって、ここでは一定間隔ごとにマット１からの身体に対する支持圧力が変わるように構成されている。この圧力維持部６は、各溝部２，３，４の周辺で支持圧力が一番大きい強圧部６ａと、この強圧部６ａに隣接した周辺隣接部で、マット１の通常の支持圧力を有する所定圧部６ｃの支持圧力に近くなる中圧部６ｂとを備えている。
【００２３】
ここでは、圧力維持部６は、異なる支持圧力のウレタンマットを組み込んで構成されている。なお、マット１がウォータマットの場合では、ウレタン同様の構成となるように、身体を支持する水の圧力が異なるように区切りを作って水圧を調整することで構成できる。また、マット１がエアマットである場合には、ウレタン同様の構成となるように気室を区切り、各気室のエアの圧力を調整することで構成することができる。なお、圧力維持部６は、ここでは２段階で通常の支持圧力になるように調整しているが、さらに細かく分割した状態としても構わない。
【００２４】
つぎに、この床擦れ防止用寝具Ａの使用状態について説明する。
床擦れ防止用寝具Ａは、寝室や、病院のベッドの寝具用マットとして敷かれる。そして、シーツ、タオルなどを上から被せた状態、部分的に分割してシーツを被せた状態あるいは、なにも被せない状態で使用される。
【００２５】
床擦れ防止用寝具Ａの上には患者あるいは老人が横たわる姿勢をとる場合に、仰臥する姿勢であれば、頭部がマット１に乗るように置いた枕（図示せず）に位置すると共に、身体の背骨が縦溝部２に対応する位置で、かつ、身体の腰骨部が横溝部３になるようなポジションに身体の位置を調整する。なお、身体を仰臥する姿勢から側臥（横向き）になる姿勢に寝返りを打つ場合には、横溝部３に沿って身体を回転させれば体重移動がスムーズに行なえるため、簡単に姿勢を変化させることができる。この側臥の姿勢となった場合でも、腰骨の上部に対応する位置は、マット面に接することがないため、床擦れを防止することができる。また、身体の支持面が各溝部２，３，４の周辺でも離れた位置でも同じ支持圧力に調整されているため、身体の沈み込みによる不愉快な感覚は排除することができる。
【００２６】
なお、患者あるいは老人の下の世話を行なう場合には、図３（ａ）、（ｂ）に示すように、縦溝延長部４の位置から挿入マット片５を抜き取り、その挿入マット片５を抜き取った空間において、オマルや浣腸を行なう場合に使用する注射器の操作を行なうことができる。
また、床擦れ防止用寝具Ａの強度を維持するためにマット１の裏面に薄板状の補強部材（図示せず）を取り付ける状態としても構わない。
さらに、縦溝部２および横溝部３の長さ寸法、幅寸法は、あらかじめ決められた複数パターンを用意しておき、適宜、対応する身長に応じて使用する形態としても構わない。
【００２７】
【発明の効果】
本発明に係る床擦れ防止用寝具は、以上のように構成しているため以下の優れた効果を奏する。
床擦れ防止用寝具は、長期間に亘って身体を横たえる姿勢を余儀なくされても、背骨部分および腰骨部には支持面が非接触となる縦溝部および横溝部が位置することで、身体に床擦れを発生することはない。また、横溝部に沿って体重移動を行うことにより移動がスムーズとなり、寝返りなどの身体の姿勢を容易に変えることができる。さらに、床擦れが発生した患者あるいは老人がこの床擦れ防止用寝具を使用することで床擦れを完治することが可能となる。
【００２８】
床擦れ防止用寝具は、背骨部分および腰骨部には縦溝部および横溝部が対面して非接触となることで、床擦れを防止することができると共に、各溝部の周辺に身体の支持圧力をどの位置でも均等にする圧力維持部を備えているため、各溝部分において身体の重みで必要以上に沈み込むことがなく、寝易い状態を維持することができる。
床擦れ防止用寝具は、縦溝延長部および挿入マット片を備える構成とすることで、下の世話や、あるいは、下腹部に対する医療作業を行なう場合に都合がよい。
【図面の簡単な説明】
【図１】本発明に係る床擦れ防止用寝具を示す平面図である。
【図２】（ａ），（ｂ）は、本発明に係る床擦れ防止用寝具と身体との位置関係を示す底面図および一部を断面にした側面図である。
【図３】（ａ），（ｂ）は、本発明に係る床擦れ防止用寝具の挿入マット片を縦溝延長部に挿入離脱した状態を示す斜視図である。
【符号の説明】
Ａ　　　床擦れ防止用寝具
１　　　マット
２　　　縦溝部
３　　　横溝部
４　　　縦溝延長部
５　　　挿入マット片
６　　　圧力維持部
６ａ　　強圧部
６ｂ　　中圧部
６ｃ　　所定圧部
【図１】
2004081281.tif 000003
【図２】
2004081281.tif 000004
【図３】
2004081281.tif 000005